(57)【要約】【課題】収納物の視認性に優れ、収納物の出し入れが容易で、ケースの破損も生じにくい収納ケースを提供すること。【解決手段】開口部１ａから出し入れ可能な収納空間部１ｂを備えた４個の収納体１０が相互に回動可能に直列に連結された収納体連結体１００を備え、各収納体１０は、収納体連結体１００の連結方向の第１の端部と第２の端部とを当接させた集合状態で中空円柱状となる形状を有し、さらに、収納体１０は、中空円柱状の集合状態で、一方に隣り合う収納体１０と当接する部位に開口部１ａが設けられ、もう一方に隣り合う収納体１０と当接する部位の収納壁部ＳＷに縦壁１２１を備え、収納体連結体１００は、中空柱状とした集合状態では、各開口部１ａが隣り合う収納体１０の各縦壁１２１により塞がれ、集合状態とする回転方向とは逆方向に各収納体１０を回動させた展開状態では、開口部１ａが縦壁１２１と離間して開放状態となる収納ケースとした。【選択図】図２
2019092788.tif 000002
【特許請求の範囲】
【請求項１】
開口部から出し入れ可能な収納空間部を備えた３以上の複数の収納体が相互に回動可能に直列に連結された収納体連結体を備え、
各収納体は、前記収納空間部を形成する収納壁部が、各回動可能な連結部分を回動させて前記収納体連結体の連結方向の第１の端部と第２の端部とを当接させた集合状態で中空柱状となる形状を有し、
さらに、前記収納体は、前記中空柱状の集合状態で、一方に隣り合う前記収納体と当接する部位に前記開口部が設けられ、もう一方に隣り合う前記収納体と当接する部位の前記収納壁部に、前記もう一方の前記収納体の前記開口部を塞ぐ縦壁を備え、
前記収納体連結体は、前記中空柱状とした集合状態では、各開口部が隣り合う前記収納体の各縦壁により塞がれ、前記集合状態とする回転方向とは逆方向に各収納体を回動させた展開状態では、前記開口部が前記縦壁と離間して開放状態となる収納ケース。
【請求項２】
請求項１に記載の収納ケースにおいて、
前記収納体連結体の前記集合状態を保持するロック部を備える収納ケース。
【請求項３】
請求項１または請求項２に記載の収納ケースにおいて、
前記収納体は、前記収納壁部に前記収納体連結体を前記集合状態としたときに中空柱の外周部を形成する周壁を備え、
前記収納体連結体は、前記収納体の前記周壁が矩形シート状を成し面直交方向に変形可能な外周シート材に固定され、この外周シート材により前記収納体どうしが回動可能に連結されている収納ケース。
【請求項４】
請求項３に記載の収納ケースにおいて、
前記外周シート材は、前記収納体連結体の連続方向の一方の第１端部が前記収納体連結体の一端に沿って配置され、前記連続方向の第２端部が、前記集合状態で、前記外周シート材の前記第１端部を覆うよう周方向に延長された延長片部を備え、
前記外周シート材において、前記延長片部と、前記集合状態で前記延長片部が重なる部位との間に、前記集合状態を保持するロック部を備える収納ケース。
【請求項５】
請求項４に記載の収納ケースにおいて、
前記ロック部は、前記延長片部と前記重なる部位との一方に設けられた板状の磁石と、前記延長片部と前記重なる部位とのもう一方に設けられて前記磁石と相互に吸着する吸着部材と、を備える収納ケース。
【請求項６】
請求項１〜５のいずれか１項に記載の収納ケースにおいて、
前記収納体の前記収納壁部の内周面が、軟質の内張り材により覆われている収納ケース。
【請求項７】
請求項１〜６のいずれか１項に記載の収納ケースにおいて、
前記収納壁部は、前記収納体連結体の前記集合状態で、前記中空柱状の軸方向に沿う方向の両端の柱端面を形成する一対の側壁と、前記中空柱状の外周部を形成する周壁とを有し、
前記側壁が扇形状を成すとともに、前記周壁が円柱面の一部を成し、
前記収納体連結体を集合状態としたときに中空円柱形状となる収納ケース。
【発明の詳細な説明】
【技術分野】
【０００１】
本開示は、眼鏡ケースに好適な収納ケースに関するものである。
【背景技術】
【０００２】
従来、複数の眼鏡を収納可能な収納ケースが知られている（例えば、特許文献１参照）。
この従来の収納ケースは、長手方向の一端に開口が設けられ、かつ、収納ケースの内側の空間が、長手方向に延在する可動仕切により複数の収納空間部に仕切られた構成となっている。
したがって、眼鏡を、収納ケースの一端の開口から、各収納空間部に出し入れ可能となっており、１つの収納ケースに、収納空間部の数だけの眼鏡を収容することができるようになっている。
【先行技術文献】
【特許文献】
【０００３】
【特許文献１】特開２０１０−７５６４０号公報
【発明の概要】
【発明が解決しようとする課題】
【０００４】
しかしながら、従来の収納ケースは、一端の開口から、折り畳んだ状態の眼鏡を、収納ケースの長手方向に出し入れする構造であるため、収納空間部に収容された眼鏡の端部しか視認できず、どの収納空間部にどの眼鏡が収納されているのか確認しにくい。さらに、眼鏡の出し入れの際には、眼鏡の「つる」の基端部のみしか掴むことができないため、出入操作性に難がある。しかも、眼鏡の形状が、顔の湾曲形状に応じて湾曲した形状のものでは、出入の際に、眼鏡とケース内面との摩擦接触圧が高くなり、ケース内面が擦れにより破損するおそれがある。
【０００５】
そこで、本開示は、複数の収容物が収容でき、収納物の視認性に優れ、収納物の出し入れが容易で、ケースの破損も生じにくく、耐久性に優れる収納ケースを提供することを目的としている。
【課題を解決するための手段】
【０００６】
前記目的を達成するために、本開示の収納ケースは、
開口部から出し入れ可能な収納空間部を備えた３以上の複数の収納体が相互に回動可能に直列に連結された収納体連結体を備え、
各収納体は、前記収納空間部を形成する収納壁部が、各回動可能な連結部分を回動させて前記収納体連結体の連結方向の第１の端部と第２の端部とを当接させた集合状態で中空柱状となる形状を有し、
さらに、前記収納体は、前記中空柱状の集合状態で、隣り合う２つの前記収納体のうち一方の前記収納体と当接する部位に前記開口部が設けられ、もう一方の前記収納体と当接する部位の前記収納壁部の一部に、前記もう一方の前記収納体の前記開口部を塞ぐ縦壁を備え、
前記収納体連結体は、前記中空柱状とした集合状態では、前記開口部が隣り合う前記収納体の縦壁により塞がれ、前記集合状態とする回転方向とは逆方向に各収納体を回動させた展開状態では、前記開口部が前記縦壁と離間して開放状態となる収納ケースとした。
【発明の効果】
【０００７】
本開示の収納ケースでは、収納体連結体の各収納体を相対回動させて展開状態とすると各収納空間部の開口部が開放状態となり、全ての収納空間部における複数の収納物を同時に確認することができる。
また、収納空間部内の収納物は、収納体の全長に亘る開口部から取り出すことができる。したがって、折り畳み状態の眼鏡を軸方向に沿って収容した場合、軸方向に沿う方向の直交方向に取り出すことができ、軸方向に沿う方向にスライドさせる場合と比較して、操作性に優れるとともに、眼鏡と収納体との摩擦も生じにくく、摩耗や破損のおそれを軽減して耐久性を向上させることができる。
【図面の簡単な説明】
【０００８】
【図１】実施の形態１の収納ケースの集合状態を示す斜視図である。
【図２】実施の形態１の収納ケースの展開状態を示す斜視図である。
【図３】実施の形態１の収納ケースの平面図であり、一部を拡大し断面を示している。
【図４】実施の形態１の収納ケースの展開状態を示す側面図である。
【図５】実施の形態１の収納ケースの要部の断面図である。
【図６Ａ】実施の形態１の収納ケースの他例を示す平面図である。
【図６Ｂ】実施の形態１の収納ケースの他例を示す平面図である。
【図６Ｃ】実施の形態１の収納ケースの他例を示す平面図である。
【図６Ｄ】実施の形態１の収納ケースの他例を示す平面図である。
【図６Ｅ】実施の形態１の収納ケースの他例を示す平面図である。
【発明を実施するための形態】
【０００９】
以下、本発明の実施の形態について図面を参照して説明する。
（実施の形態１）
まず、図面を参照しながら実施の形態１の収納ケースＣＡの構成について説明する。
実施の形態１の収納ケースＣＡは、複数（４個）の眼鏡ＧＬ（図２参照）の収納を可能とするもので、図１に示す円柱状の集合状態と、図２に示す展開状態とに形態を変更可能に形成されている。
【００１０】
図２に示すように、収納ケースＣＡは、４個の収納体１０（ａ），１０（ｂ），１０（ｃ），１０（ｄ）と、外周シート材２０とを備える。なお、４個の収納体１０（ａ），１０（ｂ），１０（ｃ），１０（ｄ）は、同様の構成であるため、以下の説明において、これらのうちの特定のものを指さない場合には、単に、収納体１０と表記する。
【００１１】
収納体１０は、図２に示す展開状態では、図において斜め上方を向いた開口部１ａを有した収納空間部１ｂと、収納空間部１ｂを囲む収納壁部ＳＷと、を有する。
また、収納壁部ＳＷは、一対の側壁１１（ａ），１１（ｂ）と、両側壁１１（ａ），１１（ｂ）の間に配置されて、両側壁１１（ａ），１１（ｂ）に結合された縦壁１２１および周壁１２２と、を備える。なお、側壁１１（ａ），１１（ｂ）は、同形状のものが対向して配置されたもので、以下の説明において、特定のものを指さない場合には、単に、側壁１１と表記する。
【００１２】
側壁１１は、円柱の端面である円板を、その中心軸を分割中心点Ｃｅ（図１、図３参照）として、均等に４分割した扇形状に形成されている。すなわち、側壁１１は、この分割位置に沿う放射線に面した第１側端縁１１１および第２側端縁１１２と、円弧状の外周縁部１１３とに囲まれた扇形状を成す。
【００１３】
縦壁１２１は、一対の側壁１１，１１の第２側端縁１１２，１１２の間に第２側端縁１１２に連続して設けられた壁である。したがって、この縦壁１２１は、軸方向に沿う方向（図２の矢印ａｘ方向）に長い長方形状を成す。
周壁１２２は、一対の側壁１１，１１の外周縁部１１３の間に、この外周縁部１１３および縦壁１２１に連続して設けられている。したがって、周壁１２２は、円柱の全周の１／４の大きさの円弧状を成す。
【００１４】
収納空間部１ｂは、収納壁部ＳＷに囲まれて形成されており、すなわち、一対の側壁１１，１１と、縦壁１２１と周壁１２２とに囲まれている。また、この収納空間部１ｂは、軸方向に沿う方向の寸法が、収納物である眼鏡ＧＬの全幅（装着時の顔幅方向の寸法）よりも長い寸法（１８ｃｍ程度）に形成され、一方、軸方向の直交方向の幅寸法も、折り畳み状態の眼鏡ＧＬを収納可能な寸法（深さ＝両側端縁１１１，１１２の長さ、が５ｃｍ程度）に形成されている。
【００１５】
そして、この収納空間部１ｂの開口部１ａは、一対の側壁１１，１１の第１側端縁１１１，１１１どうしの間に軸方向に沿う方向（矢印ａｘ方向）に長い長方形状を成して、収納空間部１ｂの軸方向に沿う方向の略全長に亘って設けられている。
したがって、各収納体１０の収納空間部１ｂには、開口部１ａから収納物としての眼鏡ＧＬを出し入れすることができる。
【００１６】
さらに、上述した収納体１０の収納壁部ＳＷは、それぞれ、図５の断面図に示すように、薄板状の基材１０ａに内貼り材１５および外貼り材１６（図３参照）が貼り付けられている。
【００１７】
ここで、基材１０ａとしては、厚紙、合成樹脂板、金属板（アルミ、鉄など）などを用いることができるが、本実施の形態１では、厚紙を用いているものとする。
また、内貼り材１５は、眼鏡ＧＬのレンズを傷付けにくい軟質の素材が用いられており、本実施の形態では、合成皮革によるスエード生地を用いている。なお、内貼り材１５としては、この他に、布生地紙の生地や、布、不織布、スポンジ、弾性材などを用いることができる。
【００１８】
そして、内貼り材１５は、図５に示すように、縦壁１２１には、内外両面および端面に貼り付けられ、周壁１２２には、その内面に貼り付けられている。なお、図において、後述する外周シート材２０の内貼り材２４も、内貼り材１５と同様の材質のものが用いられている。したがって、外周シート材２０の内貼り材２４は、収納体１０の内貼り材１５と、一体に連続させてもよいし、別体としてもよい。
【００１９】
また、側壁１１にあっては、収納空間部１ｂ側の内面に、内貼り材１５が貼り付けられ、その反対側の外側面には、外貼り材１６（図１、図３）が貼り付けられている。
この外貼り材１６としては、自身が傷付きにくいように、ある程度硬質の素材による薄いシート状に形成されたものが用いられ、本実施の形態１では、合成皮革を用いている。
【００２０】
外貼り材１６としては、合成皮革の他にも、布生地やゴム生地、紙の生地、樹脂(プラスチック)や薄い金属板(アルミ、スチールなど)などを用いることが可能である。
【００２１】
次に、外周シート材２０、および、この外周シート材２０により４個の収納体１０が、直列に一体に結合された収納体連結体１００について説明する。
すなわち、本実施の形態では、図２に示すように、４個の収納体１０が、外周シート材２０の上に一列に連続して固定されている。
【００２２】
この外周シート材２０は、横幅が収納体１０の軸方向に沿う方向の寸法と略等しく、縦幅が、図３に示すように、収納体１０の外周縁部１１３の寸法の５倍程度の寸法の長方形のシート状から形成されている。
【００２３】
そして、第１の収納体１０（ａ）は、外周シート材２０において集合状態としたときの周方向の一端である第１端部２０ａに縦壁１２１が沿うように配置され、その周壁１２２の外側面が接着などにより外周シート材２０に固定されている。
さらに、図４に示すように、第１の収納体１０（ａ）に隣接して、第２の収納体１０（ｂ）が外周シート材２０の周壁１２２の外側面が外周シート材２０に固定されている。この固定は、第１の収納体１０（ａ）の側壁１１の第１側端縁１１１と外周縁部１１３との交点近傍に、第２の収納体１０（ｂ）の側壁１１の第２側端縁１１２と外周縁部１１３との交点近傍が配置された固定となっている。
【００２４】
したがって、第１の収納体１０（ａ）と第２の収納体１０（ｂ）とが外周シート材２０により連結され、かつ、上記の両交点近傍の外周シート材２０の変形に基づいて、第１の収納体１０（ａ）と第２の収納体１０（ｂ）とが、相互に軸方向に沿う方向に対して直交方向である内外径方向に回動可能となっている。
すなわち、図５に示すように、外周シート材２０において、隣り合う収納体１０，１０の一方の収納体１０（図５では収納体１０（ｃ））の縦壁１２１と、もう一方の収納体１０（図５では収納体１０（ｄ）の周壁１２２との間に沿って配置されている部分を中心として、隣り合う収納体１０，１０どうしが回動可能に連結されている。この外周シート材２０において、この回動のために変形する部分が、第１の収納体１０（ａ）と第２の収納体１０（ｂ）とを相互に回動可能に連結する回動連結部２１となる。
【００２５】
上述のようにして、さらに、第３の収納体１０（ｃ）の周壁１２２の外側面および第４の収納体１０（ｄ）の周壁の１２２の外側面が順に、軸方向に沿う方向の直交方向に直列に連続して外周シート材２０に固定されて、４つの収納体１０が連続し、かつ、相互回動可能に連結された収納体連結体１００が形成されている。なお、外周シート材２０において、収納体１０の周壁１２２が固定される部位は、予め周壁１２２の外周面に一致する形状に形成していてもよいし、周壁１２２を固定することにより、周壁１２２に沿う形状に変形させてもよい。
【００２６】
そして、この収納体連結体１００は、それぞれの側壁１１が扇形を成しているため、収納体連結体１００の一方の端部の第１の収納体１０（ａ）の端部の縦壁１２１と、もう一方の端部の第４の収納体１０（ｄ）の端部とを当接させるように、各回動連結部２１で回動させることにより、図１に示す中空円柱形状を成す集合状態とすることができる。
【００２７】
また、外周シート材２０には、円柱状の集合状態を保持するために、延長片部２２およびロック部２３を備える。
延長片部２２は、外周シート材２０において、第１端部２０ａとは反対側の端部である第２端部２０ｂが、図３に示す集合状態で、外周シート材２０の第１端部２０ａを越えて上に重なるよう収納体連結体１００の全長よりも延長されている。
【００２８】
ロック部２３は、薄板状の磁石板２３ａと、この磁石板２３ａと吸着可能な例えば鉄などの金属により形成された吸着板（吸着部材）２３ｂとを備える。
磁石板２３ａは、図３に示すように、延長片部２２の先端部の内側面において、外貼り材２５および内貼り材２４の下側に隠れて設置されている。
一方、吸着板２３ｂは、外周シート材２０において、収納ケースＣＡを図３に示す集合状態とした際に、延長片部２２の磁石板２３ａと径方向に上下に重なる位置で、外貼り材２５の下側に隠れて設置されている。
【００２９】
したがって、収納ケースＣＡを、図３に示すように集合状態としたときには、磁石板２３ａが吸着板２３ｂを吸着することで、延長片部２２の周方向および外径方向に移動するのが規制されて、この集合状態を保持する。
【００３０】
なお、外周シート材２０は、シート状の基材２ａにおいて、その外側面に外貼り材２５が貼り付けられ、かつ、この外貼り材２５の外周端縁は、基材２ａの内側面側に折り返されている（図３の拡大部分参照）。また、基材２ａの内側面において、収納体連結体１００が固定されている部位を除く部位である延長片部２２および、収納体１０どうしの間の部分には、図５に示すように、内貼り材２４が貼り付けられている。
【００３１】
ここで、基材２ａは、収納体１０の基材１０ａと同素材の厚紙を用いているが、合成樹脂板、金属板（アルミ、鉄など）などを用いることもできる。
また、内貼り材２４としても、収納体１０の内貼り材１５と同素材の合成皮革によるスエード生地を用いているが、この他に、布生地紙の生地や、布、不織布、スポンジ、弾性材などを用いることができる。
また、外貼り材２５としても、収納体１０の外貼り材１６と同素材の合成皮革を用いているが、この他にも、布生地やゴム生地、紙の生地、樹脂(プラスチック)や薄い金属板(アルミ、スチールなど)などを用いることが可能である。
【００３２】
（実施の形態１の作用）
＜出し入れ時＞
眼鏡ＧＬを収納ケースＣＡに出し入れする際には、図２に示すように、収納ケースＣＡ（収納体連結体１００）を展開状態とする。
この展開状態では、各収納体１０の収納空間部１ｂが、それぞれ、開口部１ａを斜め上方に向けた状態で、その軸方向に沿う方向の全長に亘り、すなわち、収納する眼鏡ＧＬの折り畳み状態での全幅よりも長い寸法で開口する。
【００３３】
したがって、全ての収納空間部１ｂに収容した全ての眼鏡ＧＬの全体を視認することができ、視認性に優れる。
しかも、収納空間部１ｂに眼鏡ＧＬを出し入れする際には、眼鏡ＧＬの「つる」や「ブリッジ」など任意の箇所を容易に掴んで出し入れすることができ、出し入れ操作性に優れる。
【００３４】
さらに、この眼鏡ＧＬの出し入れの際には、眼鏡ＧＬを収納空間部１ｂに対して、その深さである扇形の半径方向に移動させるだけで済む。したがって、眼鏡ＧＬを、収納空間部１ｂの軸方向に沿う方向の全長に亘ってスライドさせる場合と比較して、眼鏡ＧＬと収納空間部１ｂとの相対移動量が少ない。このため、眼鏡ＧＬと収納壁部ＳＷとが擦れ合うことが少なく、この擦れ合いを原因とする、収納壁部ＳＷの摩耗や、眼鏡ＧＬの破損が生じにくい。
【００３５】
＜収納時＞
眼鏡ＧＬを収納する際には、各収納体１０どうしの間の回動連結部２１を中心に、各収納体１０が相互に当接させるように回動させ、図１、図３に示すように、収納ケースＣＡ（収納体連結体１００）を集合状態とする。
【００３６】
この集合状態では、各収納体１０の開口部１ａが、それぞれ、隣り合う収納体１０の縦壁１２１に塞がれる。
また、図１、図３に示す集合状態では、収納ケースＣＡの延長片部２２に設けた磁石板２３ａが、図３の拡大表示部分に示すように、外周シート材２０において第１の収納体１０（ａ）の外径方向に重なる部分に設けられた吸着板２３ｂと径方向に重なって吸着する。
したがって、収納ケースＣＡは、中空円柱状の集合状態を保持する。
そして、収納ケースＣＡは、この中空円柱状の集合状態では、図１に示すように立てた状態で載置したり、あるいは片手で把持して持ち運びしたりすることが可能である。
しかも、この集合状態での円柱形状は、眼鏡ＧＬ用の収納ケースＣＡとして新規なデザインを提供でき、デザイン性に優れる。加えて、この収納ケースＣＡは、円柱形状から、上記のように展開状態では、円柱の１／４の形状に分離され、その形態の変化としても新規なデザインを提供でき、デザイン性に優れる。
【００３７】
また、この集合状態では、眼鏡ＧＬは、収納空間部１ｂ内に保持され、かつ、収納ケースＣＡを移動させたり、揺らしたりして眼鏡ＧＬと収納壁部ＳＷとが接触した際には、眼鏡ＧＬは、軟質の内貼り材１５と接触するため、傷付いたりしにくい。
【００３８】
（実施の形態１の効果）
以下に、本開示の実施の形態１の効果を列挙する。
１）実施の形態１の収納ケースＣＡは、
開口部１ａから出し入れ可能な収納空間部１ｂを備えた３以上である４個の収納体１０が相互に回動可能に直列に連結された収納体連結体１００を備え、
各収納体１０は、収納空間部１ｂを形成する収納壁部ＳＷが、各回動可能な連結部分である回動連結部２１を回動させて収納体連結体１００の連結方向の第１の端部と第２の端部とを当接させた集合状態で中空柱状となる形状を有し、
さらに、収納体１０は、中空柱状の集合状態で、一方に隣り合う収納体１０と当接する部位に開口部１ａが設けられ、もう一方に隣り合う収納体１０と当接する部位の収納壁部ＳＷに、もう一方に隣り合う収納体１０の開口部１ａを塞ぐ縦壁１２１を備え、
収納体連結体１００は、中空柱状とした集合状態では、各開口部１ａが隣り合う収納体１０の各縦壁１２１により塞がれ、集合状態とする回転方向とは逆方向に各収納体１０を回動させた展開状態では、開口部１ａが縦壁１２１と離間して開放状態となる。
したがって、収納ケースＣＡでは、展開状態とすると各収納空間部１ｂの開口部１ａが開放状態となり、全ての収納空間部１ｂにおける収納物である眼鏡ＧＬの全体を視認することができる。
さらに、収納空間部１ｂ内の眼鏡ＧＬは、収納体１０の全長に亘る開口部１ａから取り出すことができる。したがって、収納空間部１ｂに収容した折り畳み状態の眼鏡ＧＬは、軸方向に沿う方向の直交方向に取り出すことができ、軸方向に沿う方向にスライドさせる場合と比較して、出し入れ操作性に優れるとともに、眼鏡ＧＬと収納体１０との摩擦も生じにくく、摩耗や破損のおそれを軽減できる。
また、旅行の際などに、複数の眼鏡ＧＬをコンパクトに収納して持ち運ぶことができる。
【００３９】
２）実施の形態１の収納ケースＣＡは、
収納体連結体１００の集合状態を保持するロック部２３を備える。
したがって、収納物である眼鏡ＧＬの出し入れ時には、収納体連結体１００を展開可能としても、収納時には、集合状態を保持して、収納物である眼鏡ＧＬが収納ケースＣＡから出てしまう不具合を防止できる。
【００４０】
３）実施の形態１の収納ケースＣＡは、
収納体１０は、収納壁部ＳＷに収納体連結体１００を集合状態としたときに中空柱の外周部を形成する周壁１２２を備え、
収納体連結体１００は、収納体１０の周壁１２２が矩形シート状を成し面直交方向に変形可能な外周シート材２０に固定され、この外周シート材２０により収納体１０どうしが回動可能に連結されている。
したがって、収納体１０どうしをヒンジ構造などの回動可能な連結部材を用いて連結する場合と比較して、回動可能に連結するのが容易であり、製造の手間および部品点数を削減できる。
【００４１】
４）実施の形態１の収納ケースＣＡは、
外周シート材２０は、収納体連結体１００の連続方向の一方の第１端部２０ａが収納体連結体１００の一端に沿って配置され、連続方向の第２端部２０ｂが、集合状態で、外周シート材２０の第１端部２０ａを覆うよう周方向に延長された延長片部２２を備え、
外周シート材２０において、延長片部２２と、集合状態で延長片部２２が重なる部位との間に、集合状態を保持するロック部２３を備える。
したがって、延長片部２２により収納体連結体１００の端部どうしにおける開口部１ａと縦壁１２１との接合部分が覆われ、その収容物である眼鏡ＧＬが収容空間部１ｂからこぼれ落ちる不具合が生じにくい。
さらに、ロック部２３を、外周シート材２０の延長片部２２とそれに重なる部位に設けたため、収納体連結体１００の両端の収納体１０（ａ），１０（ｄ）どうしの間に設けるのと比較して、ロック部２３の設置が容易である。また、延長片部２２を外周シート材２０に重ねた状態で、延長片部２２がめくれる不具合も生じにくい。
【００４２】
５）実施の形態１の収納ケースＣＡは、
ロック部２３は、延長片部２２に設けられた板状の磁石板２３ａと、延長片部２２に重なる部位に設けられた吸着板２３ｂと、を備える。
したがって、延長片部２２に設けたロック部２３のロックは、磁石板２３ａと吸着板２３ｂとを吸着させるだけで良い。一方、ロック部２３のロック解除は、磁石板２３ａを吸着板２３ｂから離すように、延長片部２２を吸着板２３ｂが設けられた部位の外周シート材２０から離すだけで良い。
よって、ロック部２３のロック、ロック解除の操作が容易で、使い勝手に優れる。
【００４３】
６）実施の形態１の収納ケースＣＡは、
収納体１０の収納壁部ＳＷの内周面が、軟質の内張り材１５により覆われている。
したがって、収納空間部１ｂに収納した眼鏡ＧＬが傷付きにくい。
しかも、集合状態で開口部１ａを覆う縦壁１２１の外側面（収納空間部１ｂとは反対側の面）にも内貼り材１５を設けたため、収納空間部１ｂに収納した眼鏡ＧＬがさらに傷付きにくい。
【００４４】
７）実施の形態１の収納ケースＣＡは、
収納壁部ＳＷは、収納体連結体１００の集合状態で、中空柱状の軸方向に沿う方向の両端の柱端面を形成する一対の側壁１１（ａ），１１（ｂ）と、中空柱状の外周部を形成する周壁１２２とを有し、
側壁１１（ａ），１１（ｂ）が扇形状を成すとともに、周壁１２２が円柱面の一部を成し、
収納体連結体１００を集合状態としたときに中空円柱形状となる。
したがって、眼鏡ＧＬを収納空間部１ｂに、そのレンズ部分を縦壁１２１に沿わせるように配置して収納すると、その「つる」の部分が、湾曲形状の周壁１２２に当接し、姿勢を安定させた状態で収納することができる。
また、収納体連結体１００および収納ケースＣＡを集合状態としたときに中空円柱状となることにより、手の小さな女性にも把持しやすく使い勝手に優れる。
加えて、眼鏡ＧＬ用の収納ケースＣＡとして、円柱状の新規なデザインを提供でき、しかも、展開状態では、円柱の１／４の形状に分離され、その形態の変化としても新規なデザインを提供でき、デザイン性に優れる。
【００４５】
以上、図面を参照して、本開示の収納ケースの実施の形態を詳述してきたが、具体的な構成は、この実施の形態に限らず、本発明の要旨を逸脱しない程度の設計的変更は、本発明に含まれる。
【００４６】
例えば、実施の形態では、収納物として眼鏡を示したが、この収納物は、眼鏡に限定されるものではない。例えば、アクセサリー、その場合、収納体の内部に、アクセサリーを保持する部材を設けてもよい。この場合、収納体の形状や大きさも、収納物に応じて任意に設定することができる。また、収納物によっては、あるいは、収納体を形成する素材によっては、収納体の内側面に内貼り材を設けない構成としてもよい。同様に、収納体あるいは外周シート材を形成する素材（例えば、樹脂、金属など）の場合、外貼り材を設けない構成としてもよい。
さらに、収納物が眼鏡であっても、収納体の形状は、実施の形態に示した形状（柱体を分割した形状）に限定されるものではなく、例えば、縦壁や周壁の内側に凹凸などを形成してもよい。
【００４７】
また、収納体として、収納空間部の断面形状および側壁の形状を扇形とし、集合状態としたときに中空円柱形状となるものを示したが、収納体の形状および集合状態としたときの形状は、これに限定されない。
例えば、図６Ａ、図６Ｂ、図６Ｃ、図６Ｄに示すように、各収納体３０１、３０２、３０３、３０４の平面形状を四角や三角形状として、各図に示す集合状態で多角柱形状を成すようにしてもよい。また、各図では、多角柱の平面形状として四角形、五角形を示しているが、これに限定されず、六角以上の多角形状としてもよい。あるいは、実施の形態では、収納体は、中空円柱状の集合状態を４分割した形状のものを示したが、３分割としてもよいし、逆に５以上に分割した形状としてもよい。
また、各図において、延長片部を設けた例および延長片部を設けていない例を示しているが、延長片部を設けるか否かは任意である。
【００４８】
また、実施の形態では、ロック部として、磁石と金属とによる吸着構造を示したが、ロック部としては、これに限定されず、面ファスナ、スナップファスナ、スナップボタンその他の係合状態、非係合状態を切替可能な係合手段や、集合状態とした状態で、結んだり解いたりすることが可能な紐などを用いることができる。
また、延長片部を設けない場合、図６Ｂに示すように、収納体連結体３１０の第１の端部３１１と第２の端部３１２とにロック部３２０を設けてもよい。なお、ロック部３２０は、例えば、磁石板３２１と吸着板３２２であり、図示を省略した縦壁の裏面と、縦壁の縁および側板の縁に設ける。
あるいは、図６Ｃに示すように、集合状態で、第１の端部３３１と第２の端部３３２との一方からもう一方に跨るようにベルトやカバーなどの留め部３３３を設け、この部分に留め具などのロック部を設けてもよい。
さらに、収納体は、図６Ｅに示すように、分割中心Ｃｅが、中空柱形状の中心軸からずれて配置された形状としてもよい。この場合、収納体３０５ａ，３０５ａ，３０５ｂ，３０５ｃは、大きさが不図示の収納空間部の容積および形状が異なる。このため、異なる大きさの収納物をその大きさに応じた収納体に収納することができる。
【００４９】
また、実施の形態では、収納体連結体を形成するのにあたり、各収納体を外周シート材により連結したものを示したが、収納体を回動可能に連結する構造は、これに限定されない。例えば、収納体の周壁の外側面が、収納ケースの外周面を形成するようにし、収納体どうしを、ヒンジ状の部材や、あるいは「ひも状」の部材など周知の回動可能な連結部材で連結してもよい。
【符号の説明】
【００５０】
１ａ   開口部
１ｂ   収納空間部
１０   収納体
１１   側壁
１５   内貼り材
１６   外貼り材
２０   外周シート材
２２   延長片部
２３   ロック部
２３ａ 磁石板
２３ｂ 吸着板
２４   内貼り材
２５   外貼り材
１００ 収納体連結体
１２１ 縦壁
１２２ 周壁
ＣＡ   収納ケース
ＧＬ   眼鏡（収納物）
ＳＷ   収納壁部
【図１】
2019092788.tif 000003
【図２】
2019092788.tif 000004
【図３】
2019092788.tif 000005
【図４】
2019092788.tif 000006
【図５】
2019092788.tif 000007
【図６Ａ】
2019092788.tif 000008
【図６Ｂ】
2019092788.tif 000009
【図６Ｃ】
2019092788.tif 000010
【図６Ｄ】
2019092788.tif 000011
【図６Ｅ】
2019092788.tif 000012